(57)【要約】【課題】  電気器具の設置位置の傍近くにまとまりなく置かれた電気コードの余剰部分は埃を被り易い上に、掃除の際の邪魔になった。コードの配線が室内の美観を損なうことなく、掃除などの邪魔にならない余剰コードの処理の方法が望まれる。【解決手段】円、楕円を含む任意の近似多角形の断面形状の周壁を有する少なくとも一端が開放された近似管状のケースを設け、余剰のコード部分を輪状に巻いた巻き輪をケースの内部に長孔形状を含む楕円形状の形に押圧して収納し、巻き輪が自らの拡張力で壁面を押圧してケース内に保持され、２つの引き出しコード部をケースの管端の任意の側から管端の方向に引き出すようにした近似管状のコードケースを提供する。【選択図】  図１
2019175894.tif 000002
【特許請求の範囲】
【請求項１】
円、楕円を含む任意の近似多角形の断面形状からなる周壁を有し両端が開放端をなす一定長さの近似管状のケースから成り、余剰コードを巻き状にした巻き輪を前記開放端の一方の側よりケースの内部に収納し、前記開放端の任意の側から前記巻き輪の２つの引き出しコード部をケース外部に引き出すようにしたことを特徴とする近似管状のコードケース。
【請求項２】
円、楕円を含む任意の近似多角形の断面形状からなる周壁を有し一端が開放端をなし他端が閉塞壁をなす近似管状のケースから成り、余剰コードを巻き状にした巻き輪を前記開放端よりケースの内部に収納し、前記巻き輪の２つの引き出しコード部を前記開放端からケース外部に引き出すようにしたことを特徴とする近似管状のコードケースを提供する。
【請求項３】
円、楕円を含む任意の近似多角形の断面形状からなる前記周壁の一側に前記一方の開放端より他方の開放端に向かって切り開かれた一本のコードの太さより広い幅のコード通溝を備えることを特徴とする請求項１記載の近似管状のコードケース。
【請求項４】
円、楕円を含む任意の近似多角形の断面形状からなる前記周壁の一側に前記開放端より前記閉塞壁に向かって開く一本のコードの太さより広い幅のコード通溝と、前記閉塞壁上に前記コード通溝に通じるように開く一本のコードの太さより広い幅のコード口溝を備えることを特徴とする請求項２記載の近似管状のコードケース。
【請求項５】
各々前記周壁の一側の前記コード通溝と前記閉塞壁上の前記コード通溝に通じる前記コード口溝と各々の前記周壁の一部に設けた各々の前記開放端側を相手側と分離可能に結合する結合手段とを備える２つの前記近似管状のケースをその開放端側を向き合いにして分離可能に結合したことを特徴とする請求項４記載の近似管状のコードケース。
【請求項６】
その断面形状が楕円形を含む近似長方形の周壁を有し、前記周壁の両長辺側の壁の一側にコード通溝を備えることを特徴とする請求項１又は２記載の近似管状のコードケース。
【請求項７】
その断面形状が楕円形を含む近似長方形の周壁を有し、前記周壁の両長辺側の壁の一側にケースの両管端方向に長孔形状に開く巻き輪操作孔を備えることを特徴とする請求項１又は２記載の近似管状のコードケース。
【請求項８】
近似管状のケースの開放端部にその端壁上に一本のコードの通る幅で側方に開かれたコード口溝を有する取外し自在の端カバー備えることを特徴とする請求項１又は２記載の近似管状のコードケース。
【発明の詳細な説明】
【技術分野】
【０００１】
本発明は、電気器具（以後は単に器具と呼ぶ）等で使用する電気コード（以後は単にコードと呼ぶ）などの余剰部分を収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。
そこで、器具の設置位置の傍近くに電源用ソケット等の接続口がある時は、コードの長さの余剰部分はそのまま巻いたり折り曲げたりして器具の近くに置くなどの処理ですまされてきた。      このような余剰コードの処理の仕方では、コードが室内の美観を損ね、好ましくない使用状態に置かれてきた。また、纏まりなく置かれたコードは埃を被り易い上に、掃除や色々な作業の際の邪魔になった。
【先行技術文献】
【特許文献】
【０００３】
【特許文献１】実開昭５８−１２０１５５号広報
【特許文献２】特開２００２−２４１０５８号広報
【特許文献３】特開２００８−２７０５１３号広報
【特許文献４】特開２０１７−１９９８８９号広報
【０００４】
上記の特許文献に示されるコードケースや線材収納ボックス等は、何れもケースの周壁側を開いて周壁の一側より余剰コード等を巻いたり折り曲げたりして内部に挿入し、又は取出すものである。その為に周壁側を広く開くという収納する上での不利と構造的な不利がある。
上記の特許文献１の実開昭５８−１２０１５５号広報には、１個の筒状の周面と、該周面の両端の２個の円形端面と、前記周面の全長に亘って形成した溝孔と、前記円形端面に設けたコード孔と、該コード孔と前記溝孔の端とを結ぶ樋状開口を備え、電気コードの余分な長さの部分を折り畳み状態又は巻いた状態で周面の溝孔より挿入し、前記２個の円形端面に設けた樋状開口を通じてコード孔に電気コードの両端を挿通させて、電気コードを周面の両端より引き出すようにした電気コード収納ケースの実施例が示されている。
電気コードを折り畳み状態又は巻いた状態で挿入するものであるから、溝孔は筒状の周壁の全長に亘って電気コードの太さよりかなり広い幅で切り開かねばならない。その為には円形端面に設けた樋状開口を介して円形端面中央のコード孔に通じている。
この電気コード収納ケースの例では、電気コードを折り畳み状態や巻いた状態でケースの周面側から押し込まねばならない。また、折り畳み状態や巻いた状態で収納されている電気コードを溝孔の開口部分から取り出す操作に煩わしい点がある。また、内部に不揃いに収められている細い電気コードは取扱中に動いて、その一部が幅広い溝孔より外部にはみ出すことが起り易い。
特に、ケースの内部が丸い筒状の周壁面であるから、取扱中にコードの巻き輪等が周壁に沿って回転し易く、溝孔よりその巻き輪や曲げ輪の一部が露出する不具合が起こる。
【発明の概要】
【発明が解決しようとする課題】
【０００５】
本発明の目的は、コードの配線の際に生ずる余分な長さの部分を小さく形よく収納し、配線の乱れの見えないすっきりした配線の出来る構造簡単なコードケースを提供することである。
本発明の他の目的は、コードを巻いたり折り曲げたりした巻き輪を収納し易いコンパクトなコードケースを提供することである。
本発明のさらに他の目的は、ケースをコードの配線ラインに沿って置け、２つの引き出しコード部を配線の方向にして引き出せる近似管状のコードケースを提供することである。
本発明のさらに他の目的は、コードの配線方向に対し交差する向きに取付けられる近似管状のコードケースを提供することである。
本発明のさらに他の目的は、コードを巻いた状態や折り曲げた巻き輪の状態で近似管状のケースの開放端より内部へ出し入れするコードケースを提供することである。
本発明のさらに他の目的は、巻き輪が長孔形状を含む楕円形状に収納され、自らの外方向に拡張しようとする力でケースの壁面を押圧してケース内に保持されるコードケースを提供することである。
本発明の他の目的は、外部より巻き輪を操作してコードをコード口より引き込んだり出したりすることが出来、コードを弛みのない真直ぐな状態で使用できるコードケースを提供することである。
本発明のさらに他の目的は、巻きコードの巻き数の加減が容易に出来るコードケースを提供することである。
本発明のさらに他の目的は、ケース端部のコード口溝の部分で確りコードの移動止めが行われるコードケースを提供することである。
【課題を解決するための手段】
【０００６】
上記の目的を達成する為に、本発明は、円、楕円を含む任意の近似多角形の断面形状からなる周壁を有し両端が開放端をなす一定長さの近似管状のケースから成り、余剰コードを巻き状にした巻き輪を前記開放端の一方の側よりケースの内部に収納し、前記開放端の任意の側から前記巻き輪の２つの引き出しコード部をケース外部に引き出すようにしたことを特徴とする近似管状のコードケースを提供する。
この両端が開放端をなす近似管状のケースでは、ケースの一方の開放端よりプラグ等を含む巻き輪の他方側の引き出しコード部を先に通してケースの他方の開放端より他方の側の外部に引き出し、巻き輪部分を一方の開放端より巻きの上下部を押圧しながらケース内部に挿入して略楕円状の形でケース内に収納し、巻き輪の一方側の引き出しコード部を一方の開放端より一方の側の外部に引き出すようにすることが出来る。
また、２つの引き出しコード部をケース内に通さずに、巻き輪を一方の開放端よりケース内部に挿入し、前記巻き輪の２つの引き出しコード部を前記一方の開放端より一方の側の外部に引き出すようにして収納することも出来る。
【０００７】
ここで、近似多角形には角部を丸めたものや長孔形が含まれる。
また、近似管状とは、その両端ないし一端が開放された略管状の形のことであり、その正面形状と平面形状が部分的な幾らかの膨らみや管端部側の幾らかの絞込みや開き口などの曲壁面を有するものを含む略管状の形を言う。
また、余剰コードを巻き状にした巻き輪とは、コードを同じ方向に少なくとも半巻き（１/２回巻き）以上に巻いたものや折り曲げたものである。折り曲げとはコードを半輪の形を造って連続して交互に曲げた形のものを含んでいる。
また、コードケース内でのコードの巻き方は、必ずしも規則正しく螺旋状に巻いたもののみに限定されない。また、巻きの並びの位置や大きさなどに幾分の乱れがあってもよく、巻き輪の挿入は支障なく行われ、ケース内に収納される。
本発明のコードケースにおいて、巻き輪は近似管状のケースの上壁と下壁との間で長孔形状を含む楕円形状の形で収納され、２つの引き出しコード部がケースの管端の方向に引き出される特徴を有する。
巻き輪は、自らの外方向に拡張しようとする力で上壁と下壁の壁面を押圧してケース内に確り保持される。
【０００８】
また、円、楕円を含む任意の近似多角形の断面形状からなる周壁を有し一端が開放端をなし他端が閉塞壁をなす近似管状のケースから成り、余剰コードを巻き状にした巻き輪を前記開放端よりケース内部に収納して前記巻き輪の２つの引き出しコード部を前記開放端からケース外部に引き出すようにしたことを特徴とする近似管状のコードケースを提供する。
【０００９】
また、両端が開放端である近似管状の周壁の一側に一方の開放端より他方の開放端に向かって切り開かれた一本のコードの太さより広い幅のコード通溝を備えることを特徴とする近似管状のコードケースを提供する。
これにより、巻き輪の一方の引き出しコード部を一方の開放端側より前記コード通溝を通してケースの他方の開放端側よりケース外部へ引き出すと共に、巻き輪をその巻き方向が前記コード通溝の位置する壁面に沿う方向にして一方の開放端よりケース内部に挿入し、巻き輪の他方の引き出しコード部を一方の開放端側よりケース外部へ引き出すことが出来る。
【００１０】
また、一端が開放端をなし他端が閉塞壁をなす近似管状の周壁の一側に前記開放端より前記閉塞壁に向かって開く一本のコードの太さより広い幅のコード通溝と、閉塞壁上にコード通溝に通じるように開く一本のコードの太さより広い幅のコード口溝を備えることを特徴とする近似管状のコードケースを提供する。
これにより、巻き輪の一方の引き出しコード部をコード通溝の開放端側より挿入して閉塞壁のコード口溝よりケース外部に引き出すと共に、巻き輪をその巻き方向が前記コード通溝の位置の壁面に沿う方向にして一方の開放端よりケース内部に収納し、巻き輪の他方の引き出しコード部を開放端よりケース外部に引き出すことが出来る。
【００１１】
また、各々その一端が開放端をなし他端が閉塞壁をなし、前記周壁の一側の前記コード通溝と前記閉塞壁上の前記コード通溝に通じる前記コード口溝と各々の前記周壁の一部に設けた各々の前記開放端側を相手側と分離可能に結合する結合手段とを備える２つの前記近似管状のケースをその開放端側を向き合いにして分離可能に結合したことを特徴とする近似管状のコードケースを提供する。
一端が開放端をなし他端が閉塞壁をなす２つの近似管状のケースの各々の開放端側で巻き輪を両側から挟み込むようにして２つのケースの内部に収納しながら両方のケースの開放端側を結合手段により結合し、巻き輪の２つの引き出しコード部を各々の側のコード口溝よりケース外部に引き出すことで、両端が閉塞された１個の近似管状のコードケースを得ることが出来る。
左右のケースの開放端は合致することが望ましいが、左右のケースの形が完全に対象形である必要はない。また、左右同じ長さである必要もなく、一方側を長いケースにして他方側を単なる端カバー的なもののようにすることも出来る。
【００１２】
また、その断面形状が楕円形を含む近似長方形の周壁を有する近似管状のケースに前記巻き輪をその巻き方向を前記周壁の両長辺側の壁面に沿う方向にして収納することを特徴とする近似管状のコードケースを提供する。
ここで、近似長方形には角部を丸めたものや長孔形が含まれる。
また、楕円形における両長辺側とは、楕円の短軸と交差する側の大きい両曲辺側を指す。
【００１３】
また、その断面形状が楕円形を含む近似長方形の周壁を有し、周壁の両長辺側の壁の一側にコード通溝を備えることを特徴とする近似管状のコードケースを提供する。
【００１４】
また、（h）その断面形状が楕円形を含む近似長方形の周壁を有し、周壁の両長辺側の壁の一側にケースの両管端方向に長孔形状に開く巻き輪操作孔を備えることを特徴とする近似管状のコードケースを提供する。
これにより、巻き輪操作孔より巻き輪の内側を棒や指で操作してケース外部の引き出しコード部を引き込んでコードの弛みなくしたり、巻き輪の全体をケースの外部へ押し出したりすることが出来る。
【００１５】
また、近似管状のケースの開放端部にその端壁上に一本のコードの通る幅で側方に開かれたコード口溝を有する端カバーを取外し自在に備えることを特徴とする近似管状のコードケースを提供する。
近似管状のケースの両側を開放端としたコードケースには、１個のコード口溝を有する端カバーをそれぞれの開放端部分に装着し、ケースの一方側のみを開放端としたコードケースには、コードの両端を引き出すための１個ないし２個のコード口溝を有する端カバーを開放端部分に装着することが出来る。
【００１６】
また、コード口溝の奥側にコードの太さより幅の狭い形の保持窪みを備えることを特徴とする近似管状のコードケースを提供する。
これにより、該保持窪みによりコードを確り移動止めすることが出来る。
【００１７】
本発明のコードケースは、半透明あるいは透明のプラスチック樹脂製として内部が見えるようにしておくことも出来る。又、柔軟なプラスチック樹脂製のケースとすることも出来る。ケースの一部に壁などに固定するためのダルマ孔や引掛け用のフック部を設けておくことも推奨される。
【発明の効果】
【００１８】
本発明は、以上説明したように構成されるので、以下に記載されるような効果を奏する。
【００１９】
本発明は、両端が開放端された一定長さの近似管状のケースに余剰コードの巻き輪を前記開放端の一方の側より管の内部に長孔形状を含む楕円形状の形で収納して両開放端の任意の側から巻き輪の２つの引き出しコード部をケース外部に引き出すようにし、巻き輪が自らの拡張力で壁面を押圧してケース内に保持されるコードケースとしたので、巻き輪の挿入と取出しが容易な扱い易い両端が開放された近似管状のコードケースを安価に提供することが出来、室内に乱れて放置された余剰コードを整理することが出来る。
【００２０】
また、一端が開放端をなし、他端が閉塞壁をなす近似管状のケースに巻き輪をケースの開放端側より管の内部に長孔形状を含む楕円形状の形で収納し、巻き輪の２つの引き出しコード部を開放端側よりケース外部に引き出すようにするコードケースとしたので、巻き輪の挿入が容易で、コードの配線方向に対し交差する向きに取付けられるなどの扱い易い一端が閉塞された簡明な構造の近似管状のコードケースを安価に提供することが出来、室内に放置された余剰コードを整理することが出来る。
【００２１】
また、両端を開放端とした近似管状のケースの周壁の一側に、コード通溝を備えるコードケースとしたので、プラグやコンセントを抜くことなく巻き輪部分をケース内に収納することが出来る。また、コード通溝は、一本のコードが通ることが可能な狭い幅のであり、ケース内部のコードが見え難く、且つ、ケース内部からのコードのはみ出しなどが生じ難い両端が開放された近似管状のコードケースが得られる。
【００２２】
また、一端が開放端をなし、他端が閉塞壁をなす近似管状のケースの周壁の一側にコード通溝と、閉塞壁上のコード口溝を備えるケースとすることで、プラグやコンセントを抜くことなく巻き輪の両方の引き出しコード部をケースの両端よりケース外部に引き出せるようにした構造簡単な一端が閉塞された近似管状のコードケースを得ることが出来る。
【００２３】
また、  一端が開放端をなし、他端が閉塞壁をなし各々その周壁の一側のコード通溝と閉塞壁上のコード口溝とを備える２つの近似管状のケースを各々その開放端側を向き合いにして分離可能に結合した１個のケースとすることで、余剰コードの巻き輪部分の収納及び取り出し操作に優れ、プラグやコンセントを抜くことなく巻き輪の両方の引き出しコード部をケースの両側の閉塞壁よりケース外部に引き出せるコードの流れに沿った美観に優れた両端が閉塞された近似管状のコードケースを得ることが出来る。
【００２４】
また、その断面形状が楕円形を含む近似長方形の周壁を有する近似管状のケースに巻き輪をその巻き方向を周壁の両長辺側の壁面に沿う方向にして収納するようにしたことで、ケース内部で巻き輪が周壁に沿って横に回転することが防止され、自らの拡張力によってケース内での挿入時の巻きの状態が安定に保持される近似管状のコードケースを得ることが出来る。
【００２５】
また、その断面形状が楕円形を含む近似長方形の周壁を有する近似管状のケースの前記周壁の両長辺側の壁の一側にコード通溝を設けたことで、ケース内部の巻き輪がコード通溝よりはみ出す恐れのない近似管状のコードケースが得られる。
【００２６】
また、その断面形状が楕円形を含む近似長方形の周壁を有する近似管状のケースの周壁の両長辺側の壁の少なくとも一側に長孔状に開く巻き輪操作孔を設けたことにより、該巻き輪操作孔より巻き輪の内側を棒や指で操作してケース外部の引き出しコード部を引き込んでコードの弛みなくしたり、巻き輪の全体をケースの外部へ押し出したりすることが出来る近似管状のコードケースが得られる。
【００２７】
また、近似管状のケースの開放端に、コード口溝を有する取外し自在の端カバーを装着することにより、ケースの開放端部分が塞がれて、外部から内部のコードの状態が見えないケース端部のよりすっきりした近似管状のコードケースとすることが出来る。
【００２８】
また、コード口溝の奥側にコードの太さより幅の狭い形の保持窪みを設けることにより、該保持窪みによりコードを確り移動止めする近似管状のコードケースとすることが出来る。
【図面の簡単な説明】
【００２９】
【図１】本発明の実施形態を示す図で、一部を破断して示すケースの正面図
【図２】図１における２−２矢視断面図
【図３】図１に示すケースの左側面図
【図４】図１に示すケースの右側面図
【図５】本発明の他の実施例を示す図で、一部を破断して示すケースの正面図
【図６】図５における６−６矢視断面図
【図７】図５に示すケースの左側面図
【図８】図５に示すケースの右側面図
【図９】本発明の他の実施例を示す図で、一部を破断して示すケースの正面図
【図１０】図９における１０−１０矢視断面図
【図１１】図９に示すケースの左側面図
【図１２】図９に示すケースの右側面図
【図１３】本発明の他の実施例を示すケースの正面図
【図１４】図１３に示すケースの右側面図
【発明を実施するための形態】
【００３０】
以下に本発明の実施の形態を実施例に基づいて説明する。
図１〜図４は、コードケースの実施例を示す。プラスチックス製の近似管状のコードケース１は、短辺側の上壁２と下壁３と、長辺側の前壁４と後壁５の周壁６からなる近似長方形の断面形状を有し、短辺側の上壁２と下壁３の両端側が幾分絞り込まれ、その端部が外側にラッパ状に曲げ広げられた形の両端が開放端７、８を成す近似管状を有している。
ここで、余剰コードを巻き状にした巻き輪９をこのコードケース１に収納するには、二つの方法を採ることが出来る。
一つの方法は、先ずプラグ等を含む巻き輪９の一方の引き出しコード部１０を開放端７よりコードケース１内に挿入し右方の開放端８よりケースの外部に引き出し、続いて矢印１１で示すように開放端７側より巻き輪９の部分をその巻き方向を長辺側の前壁４と後壁５の壁面に沿う方向にしてその巻きの上下を押圧して巻き輪９を楕円形状にしながらコードケース１の内部に略楕円形状の形で収納し、巻き輪９の他方の引き出しコード部１２を開放端７側より左方の外部に引き出す。
もう一つの方法は、巻き輪９の２つの引き出しコード部１０、１２を左側にして開放端７側より巻き輪９の部分のみを前壁４と後壁５の方向にしてコードケース１の内部に略楕円形状の形で収納し、巻き輪９の２つの引き出しコード部１０、１２を共に開放端７側より左方の外部に引き出す。
何れの方法でも、上壁２と下壁３の内壁面で略楕円形状に押圧されている巻き輪９は自らの外方向に拡張しようとする力でケース内に確り保持されている。
また、長さの長いケースの場合は、巻き輪はケース内で長孔形状の形となってケース内に保持される。
また、巻き輪９は、コードケース１内で巻きの並びの位置や大きさが不揃いの状態で収納されていてもよい。
図には、開放端７側から入った引き出しコード部１２がケース内で折り曲げ輪９´を形成して同じ開放端７側の引き出しコード部１０´として引き出されている状態が仮想線で示されている。
【００３１】
この実施例では、周壁６の前壁４と後壁５の中央部分に左右の両管端側の方向に長孔形状に開く巻き輪操作孔１３が設けてある。そこで、この巻き輪操作孔１３より、矢印１４で示すようにケース内部の巻き輪９の内側を指先や棒で操作してケース外部の引き出しコード部を内部へ引き込んでコードの弛みなくしたり、巻き輪９の全体をケースの外部へ押し出したりすることが出来る。
【００３２】
図５〜図８は、コードケースの他の実施例を示す。以下の実施例の説明において前に示した実施例と同一の部分や同一の機能を有する部分については、同一の符号にa 、b 、c の添え文字を附して示すに止め、なるべくその説明を省略し、主に異なる部分について説明する。
ここでは、前例同様の近似長方形の断面形状の周壁を有するが、一端が開放端７aをなし他端が閉塞壁１５をなす近似管状のコードケース１aから成っている。そして、周壁６aの前壁４a側に開放端７aより閉塞壁１５に向かって開かれた一本のコードの太さより広い幅のコード通溝１６が設けてある。閉塞壁１５上には、その中央付近よりコード通溝１６に通じるように開く一本のコードの太さより広い幅のコード口溝１７が設けてある。
ここでも、前例同様に巻き輪９aをコードケース１aに収納する方法には、二つの方法を採ることが出来る。
一つの方法は、先ず巻き輪９aの一方の引き出しコード部１０aをコード通溝１６の開放端７a側の開口よりケース１a内に通しながら、巻き輪９aの部分を同じ開放端７aより前壁４aと後壁５aの壁面に沿う方向にしてコードケース１a内に収納し、引き出しコード部１０aをコード通溝１６よりケースの右側の外部に引き出す。一方、巻き輪９aの他方の引き出しコード部１２aは開放端７a側よりケースの左方の外部に引き出して、２つの引き出しコード部をケースの左右の側よりそれぞれケースの外部へ引き出すようにする。
もう一つの方法は、巻き輪９aの２つの引き出しコード部１０a、１２aを左側にして開放端７a側より巻き輪９aの部分のみを開放端７aよりその巻き方向を前壁４aと後壁５aの壁面に沿う方向にしてコードケース１a内に収納し、巻き輪９aの２つの引き出しコード部１０a、１２aを共に開放端７a側より左方の外部に引き出すものである。
この収納方法を採る場合には、コードケースコード１aをコードの配線の方向に対し交差する向きに取付けられる利点がある。
また、この収納方法を採る場合には、前壁４a側のコード通溝１６と閉塞壁１５上のコード通溝１６は必要ではないが、実施に当ってこれらを設けておくことによって、取り付けの際に、現場の状況に応じた収納方法の選択出来る。
図には、開放端７a側から入った引き出しコード部１２aがケース内で曲げ輪９´aを形成して同じ開放端７a側の引き出しコード部１０´aとして引き出されている状態が仮想線で示されている。
【００３３】
図９〜図１２は、コードケースの他の実施例を示す。
ここでは、前例同様の近似長方形の断面形状の周壁を有し、一端が開放端７bをなし他端が閉塞壁１５bをなす左側の近似管状のケース１bと、一端が開放端７cをなし他端が閉塞壁１５cをなす右側の近似管状のケース１cの２つのケースを各々その開放端側を向き合わすようにして結合手段により結合された近似管状のコードケース１ｂｃが示されている。
左側のケース１bは後壁５b側にコード通溝１６bを、閉塞壁１５b上にコード口溝１７bを備え、右側のケース１ｃは前壁４c側にコード通溝１６cを、閉塞壁１５c上にコード口溝１７cを各々備えている。右側のケース１cの上壁２cの開放端側に掛り孔１８cが設けてあり、該掛り孔１８cに左側のケース１bの上壁２bの開放端側より掛り孔１８c上に伸び出す掛け爪１９bの爪が掛かって両側の開放端７bと７cの上壁側が結合され、下壁側も左側のケース１bの掛り孔１８bに右側のケース１cより伸び出す掛け爪１９cの爪が掛かって両側の開放端７bと７cの下壁側が結合されており、左側のケース１bと右側のケース１cがその上下の部分で確りと結合される。
巻き輪９bcのコードケース１ｂｃ内への収納は、例えば、巻き輪９bcの右側の引き出しコード部１０bcを右側のケース１cのコード通溝１６c通してコード口溝１７cより右側のケース外部に引き出すと共に、巻き輪９bcの右側の半分近くを右側の近似管状のケース１cの開放端７cよりケース１cの内部に収納する。続いて、巻き輪９bcの左側の引き出しコード部１２bcを左側のケース１bのコード通溝１６b通してコード口溝１７bより左側のケース外部に引き出すと共に、巻き輪９bcの左側の残りの部分に左側のケース１bの開放端７bを被せるようにしてケース１bの内部に収納し、ケースの左右の開放端７bと７cを付き合わせるようにすることにより、ケース１bの掛け爪１９bの爪がケース１cの掛り孔１８cに掛かり、ケース１cの掛け爪１９cの爪がケース１bの掛り孔１８bに掛かって一体に結合される。
この左右のケース１bと１cは一方側の掛け爪１９bないし１９cの爪部の端を指先などで引き上げて掛り孔１８cないし１９bから外すことにより必要な時に分離することが出来、内部の巻き輪９bcを取出すことが出来る。
プラグやコンセントを抜くことなく巻き輪の両方の引き出しコード部がケースの両側の閉塞壁部よりケース外部に引き出されるので、ケースをコードの配線ラインに沿って置け、２つの引き出しコード部を配線の方向にして引き出せる巻き輪の収納と取り出しが容易な近似管状のコードケースを得ることが出来る。
左側のケース１bのコード通溝１６bと右側のケース１ｃのコード通溝１６cは前後壁のどちら側であっても良く、同じ側に合致する必要はない。この実施例では、左側のケース１bのコード通溝１６bを後壁５b側に、右側のケース１cのコード通溝１６cを前壁４c側に設けている。
左右のケースの開放端７bと７cは合致することが望ましいが、左右のケースの形が完全に対象形である必要はない。また、左右同じ長さである必要もなく、一方側を長いケースにして他方側を単なる端カバー的なもののようにすることも出来る。
この実施例においても、左側のケース１bの閉塞壁１５b上のコード口溝１７b側から入った巻き輪９bcの左側の引き出しコード部１２bcがケース内で曲げ輪９´bcを形成して同じ閉塞壁１５b上のコード口溝１７b側より引き出しコード部１０´bcとして引き出されている状態が仮想線で示されている。
【００３４】
図１３〜図１４は、コードケースの他の実施例を示す。
円形の断面形状の周壁６dからなり左側が開放端７dであり、右側が開放端８dである近似管状のコードケース１dには、開放端７d側の外側に端カバー２０が、開放端８d側の外側に端カバー２１がその周縁２２の弾性で取外し自在に装着されている。
端カバー２１にはその端壁面に一本のコードの通る幅で周縁２２側に開かれたコード口溝１７dを有する。
そこで、プラグ等を含む巻き輪９dの一方の引き出しコード部１０dを開放端７dよりコードケース１d内に挿入し右方の開放端８dよりケースの外部に引き出し、続いて開放端７d側より巻き輪９dの部分をコードケース１d内に収納し、巻き輪９dの他方の引き出しコード部１２dを開放端７d側より左方の外部に引き出す。その後、それぞれの側の端カバー２０のコード口溝に各々の側の引き出しコード部を通して各々の側の開放端に装着する。図は開放端７d側に端カバー２０が、開放端８d側に端カバー２１がそれぞれ装着され端カバー２０のコード口溝１７dから引き出しコード部１２dが、端カバー２１のコード口溝１７dから引き出しコード部１０dがそれぞれ引き出されている状態を示す。
【００３５】
図１４において、コード口溝１７dは、周縁２２側が一本のコードの太さより幅が広く奥側が狭い楔形になっており、その最奥部にコードの太さより幅の狭い形の保持窪み２３を備えている。これにより、引き出しコード部１０dは保持窪み２３内に確り保持されコードケース１dに移動止めされる。
【符号の説明】
【００３６】
１、１a、１b、１c、１bc、１d ---コードケース
２、２a、２b、２c、２d ------上壁
３、３a、３b、３c、３d ------下壁
４、４a、４b、４ｃ、４d ------前壁
５、５a、５b--------------後壁
６、６a、６b、６d ----------周壁
７、７a、７b、７c 、７d -----開放端
８、８a、８b--------------開放端
９、９´、９a、９´a、９bc、９´bc、９d ------巻き輪
１０、１０´、１０a、１０´a、１０ｂc、１０´bc、１０d ---一方の引き出しコード部
１１、１１a---------------矢印
１２、１２a、１２bc、１２d ---他方の引き出しコード部
１３--------------------巻き輪操作孔
１４--------------------矢印
１５、１５a、１５b----------閉塞壁
１６、１６b、１６c----------コード通溝１６
１７、１７b、１７c、１７d ----コード口溝
１８b、１８ｃ--------------掛り孔
１９b、１９c--------------掛け爪
２０--------------------端カバー
２１--------------------端カバー
２２--------------------周縁
２３--------------------保持窪み
【図１】
2019175894.tif 000003
【図２】
2019175894.tif 000004
【図３】
2019175894.tif 000005
【図４】
2019175894.tif 000006
【図５】
2019175894.tif 000007
【図６】
2019175894.tif 000008
【図７】
2019175894.tif 000009
【図８】
2019175894.tif 000010
【図９】
2019175894.tif 000011
【図１０】
2019175894.tif 000012
【図１１】
2019175894.tif 000013
【図１２】
2019175894.tif 000014
【図１３】
2019175894.tif 000015
【図１４】
2019175894.tif 000016